(57)【要約】【課題】小型、軽量、移動可能で外部動力源を使用しない、構造簡単且つ安価なゴルフショット練習用ボ−ル繰り出し機を提供する。【解決手段】ゴルフショット練習用ボ−ル繰り出し機最上段のボ−ル投入部は溝を緩く下り傾斜させて、溝の先端斜下部から下段にボ−ルを落下させ、前記下段にはボ−ルの流下路を延長させ、流下路の傾斜下部にボ−ルを１個宛送り出す機構を位置させ、前記機構を外部で操作することにより、流下路のボ−ルを１個宛送り出すようにした、外部動力源を使用しない、小型、軽量、移動可能を特徴とするゴルフショット練習用ボ−ル繰り出し機。【選択図】        図１
2004181126.tif 000002
【特許請求の範囲】
【請求項１】
ゴルフショット練習用ボ−ル繰り出し機最上段のボ−ル投入部は溝を緩く下り傾斜させて、溝の先端斜下部から下段にボ−ルを落下させ、前記下段にはボ−ルの流下路を延長させ、流下路の傾斜下部にボ−ルを１個宛送り出す機構を位置させ、前記機構を外部で操作することにより、流下路のボ−ルを１個宛送り出すようにした、外部動力源を使用しない、小型、軽量、移動可能を特徴とするゴルフショット練習用ボ−ル繰り出し機。
【請求項２】
請求項１のゴルフショット練習用ボ−ル繰り出し機の機構を並列に複数組み付ける事により１回の操作にて１度に複数のボ−ルを繰り出す事が出来又、最上段のボ−ル投入口を任意の数に塞ぐ事により１回の操作で繰り出し出来るボ−ルの数は、１個〜複数個まで変更可能となる、外部動力源を使用しない、小型、軽量、移動可能を特徴とするゴルフショット練習用ボ−ル繰り出し機。
【発明の詳細な説明】
【０００１】
【発明の属する分野】
本発明は、外部動力源を使用しない、ゴルフショット練習用ボ−ルを繰り出す、小型、軽量、移動可能を特徴とする、ゴルフショット練習用ボ−ル繰り出し機に係ものである。
【０００２】
【従来の技術】
ゴルフ練習場に固定設置した大型のもの又、外部動力源を使用するものが既に知られている。
【０００３】
【発明が解決しようとする課題】
しかるに、上記従来のゴルフショット練習用ボ−ル繰り出し機においては、営業用ゴルフ場向けに開発されたものであり、大型、複雑、高価なもの、又外部動力源を使用するものとなっている。
【０００４】
本発明は、上記従来の技術におけるこのような問題を解決し外部動力源を使用しない、小型、軽量、移動可能で構造簡単且つ、安価な手段により、取扱い易い個人向けのゴルフショット練習用ボ−ル繰り出し機を提供することを目的としている。
【０００５】
【課題を解決するための手段】
上記課題目的を達成するために、本発明は請求項１及び請求項２のゴルフショット練習用ボ−ル繰り出し機を提供するものである。
【０００６】
ゴルフショット練習用ボ−ル繰り出し機最上段のボ−ル投入部は溝を緩く下り傾斜させて、溝の先端斜下部から下段にボ−ルを落下させ、前記下段にはボ−ルの流下路を延長させ、流下路の傾斜下部にボ−ルを１個宛送り出す機構を位置させ、前記機構を外部で操作することにより、流下路のボ−ルを１個宛送り出すようにした、外部動力源を使用しない、小型、軽量、移動可能を特徴とするゴルフショット練習用ボ−ル繰り出し機。
【０００７】
請求項１のゴルフショット練習用ボ−ル繰り出し機の機構を並列に複数組み付ける事により１回の操作にて１度に複数のボ−ルを繰り出す事が出来又、最上段のボ−ル投入口を任意の数に塞ぐ事により１回の操作で繰り出し出来るボ−ルの数は、１個〜複数個まで変更可能となる、外部動力源を使用しない、小型、軽量、移動可能を特徴とするゴルフショット練習用ボ−ル繰り出し機。
【０００８】
ゴルフショット練習用ボ−ル繰り出し機のボ−ル繰り出し機構部は、先のボ−ルが完全に繰り出される迄は、次のボ−ルは待機の状態になり、先のボ−ルが出てから、ボ−ル繰り出し機構部にセットされる、外部動力源を使用しない、小型、軽量、移動可能を特徴とするゴルフショット練習用ボ−ル繰り出し機。
【０００９】
【発明の実施の形態】
次に、本発明の実施の形態を添付図面に従って説明する。
図２において、ボ−ル繰り出し機最上段のボ−ル投入部の緩く下り傾斜した溝１の先端斜下端部を経てからボール落下案内部１５を通り、下部のボ−ル繰り出し機構部迄は傾斜流下路１３が傾斜延長されている。
【００１０】
前記ボ−ル繰り出し機の緩く下り傾斜した溝の数を多くし、それに合わせて下段からの傾斜流下路の数を増やすことにより繰り出し機内のボ−ルの収納数は格段と増える。
【００１１】
前記ボ−ル繰り出し機の溝、傾斜流下路の傾斜角度をボ−ルが転がるのに支障が無い範囲にて小さくすることにより、ボ−ル繰り出し機の高さを低くでき、より小型化できる。
【００１２】
前記ボ−ル繰り出し機の上段から下段にボ−ルが移動する際に、ボ−ルが傾斜流下路の中に詰まらずに下部のボール繰り出し機構部まで転がるには、流下路の落下案内部１５に入ったボールは下方向に向かうように流下路は適度に曲げ傾斜を付けつけることにより上段に入れたボールは途中で、詰まらずにボール繰り出し機構部まで転がる。
【００１３】
前記ボ−ル繰り出し機の傾斜した溝の投入口にボ−ルを投入するときに、ボ−ルが重なった状態になっても、下段のボ−ルが転がり出る事により重なったボ−ルが傾斜した溝に転がり込むからボ−ルを溝に並べて入れなくても上手に転がっていく。
【００１４】
前記ボ−ル繰り出し機の傾斜した溝の投入口は複数有り１度に操作繰り出されるボ−ルの数も複数となるが、ボ−ル投入口を任意の数に塞ぐことにより１度に操作繰り出されるボ−ルが任意の数に変更できる。
【００１５】
本発明のゴルフショット練習用ボ−ル繰り出し機の繰り出し機構部の構造は、先のボ−ルの繰り出しが始まると次のボ−ルは転がり出ない構造となっており図５先のボ−ルが確実に繰り出された後に、次のボ−ルが繰り出し部に準備される、図４。
【００１６】
前記ゴルフショット練習用ボ−ル繰り出し機の繰り出し機構部動力には、外部動力源は使用せずに弾性体１７、を使用しているので、修理は弾性体の交換が主になるが弾性体の交換は誰にでも簡単に行える構造となっている。
【００１７】
前記ゴルフショット練習用ボ−ル繰り出し機のボ−ル繰り出し方法はレバ−７をクラブヘッドで押す事により弾性体１７が反作動し繰り出し機構部を回動させてボ−ルを繰り出す、ボ−ルが出てからレバ−を放すと弾性体１７が作動し回動反転して次のボ−ルがボ−ル繰り出し機構部に自動的にセットされる、この１連の動作の繰り返しになる。
【００１８】
前記ゴルフショット練習用ボ−ル繰り出し機の繰り出し機構部より繰り出されたボ−ルは、ボ−ル出口に向かい緩く下り傾斜した出口流下路２７を通り出口９より出る。
【００１９】
前記ゴルフショット練習用ボ−ル繰り出し機のボ−ル繰り出し方法はレバ−７を押して繰り出すが、レバ−はクラブヘッドで押すので自分のスタンスを決めたままでレバ−が押せるから、常に良い姿勢を保ちながら練習が出来る。
【００２０】
前記ゴルフショット練習用ボ−ル繰り出し機のボ−ル補充は、ボ−ル投入部よりボ−ルを入れて下段に転がす構造であるから、ボ−ルを入れる際にボ−ルが投入部の縁に当たって飛び出ないように縁に緩衝材２３を使用している。
【００２１】
前記ゴルフショット練習用ボ−ル繰り出し機の繰り出し機構部は軸及び繰り出しレバ−７にボ−ル制御部１９が固定されている、ボ−ル制御部はボ−ルの繰り出し及び待機時におけるボ−ルの抵抗が少なくするために形状をボールに抵抗のない弧状にし、軸及び繰り出しレバ−７は外部迄繋がっており外部ではクランク状になり、ボ−ル繰り出しレバ−となる。
【００２２】
前記ゴルフショット練習用ボ−ル繰り出し機の軸及び繰り出しレバ−７は本体より抜けないように、平ワッシャ２９と割れピン３１により止められ、ボ−ル制御部１９の位置ずれ防止がされている。
【００２３】
前記ゴルフショット練習用ボ−ル繰り出し機の弾性体１７の一端は軸及び繰り出しレバ−７に固定された取りつけ部に取りつけされ、もう一方は本体の取りつ部に取りつけられる。
【００２４】
前記ゴルフショット練習用ボ−ル繰り出し機弾性体の作動時における軸及び繰り出しレバ−７の動作量は制止部３３が上下に位置し固定された範囲内に制限される。
【００２５】
前記ゴルフショット練習用ボ−ル繰り出し機最上段ボ−ル投入溝部分、及び流下路は２５の支持部で固定される。
【００２６】
前記ゴルフショット練習用ボ−ル繰り出し機は、小型、軽量、で移動が出来るから、屋内に於いてのパタ−打ちの練習にも使用出来る。
【００２７】
前記ゴルフショット練習用ボ−ル繰り出し機は、下部のフランジ部を外側に広げてあるので、安定性に優れている。
【００２８】
前記ゴルフショット練習用ボ−ル繰り出し機は、下部フランジ部に穴５を明けてあるので、固定して使用する時には穴部にアンカ−ボルトで固定できる。
【００２９】
前記ゴルフショット練習用ボ−ル繰り出し機は、移動がし易いように、取っ手１１を付けてあるので持ち運び移動が容易に出来、また小型であるから設置場所が小さくて済み、且つ軽量で外部動力源を使用しないから場所及び位置替えが何時でも自由に出来る。
【００３０】
図７は前記ゴルフショット練習用ボ−ル繰り出し機の繰り出し機構部におけるボ−ル繰り出し操作機構の一例を示すものである。
【００３１】
４１は前記ゴルフショット練習用ボ−ル繰り出し機の繰り出し機構部におけるボ−ル繰り出し操作機構の操作レバ−でこのレバ−は本体の外まで出ている、このレバ−は上下に動き下げると弾性体が反作用してボ−ル繰り出し機構部が回動してボ−ルを繰り出す、放すと弾性体が作用してレバ−は上あがり繰り出し機構部が回動する。
【００３２】
【発明の効果】
以上説明したように、本発明は下記の如き効果を発揮する。
【００３３】
本発明のゴルフショット練習用ボ−ル繰り出し機は、外部動力源を使用せず、小型、軽量で移動が出来るから、個人が家庭の庭に置いて簡単に練習が出来、また家の中でパタ−打ちの練習にも使える。
【００３４】
本発明のゴルフショット練習用ボ−ル繰り出し機は、外部動力源を使用しないので経済的に優れ、また構造が簡単なので安価に製造することが出来る。
【００３５】
本発明のゴルフショット練習用ボ−ル繰り出し機は、１度に繰り出すボ−ルの数を、１個〜複数個に変更できるから自分のペ−スに合わせてボ−ルの繰り出し数を変更し練習することが出来る。
【図面の簡単な説明】
【図１】本発明によるゴルフショット練習用ボ−ル繰り出し機の斜視図である。
【図２】同上ゴルフショット練習用ボ−ル繰り出し機を示す断面図である。
【図３】同上ゴルフショット練習用ボ−ル繰り出し機を示す平面図である。
【図４】同上ゴルフショット練習用ボ−ル繰り出し機構部のボ−ル制御部における、ボ−ル繰り出し待機状態を示す断面図である。
【図５】同上ゴルフショット練習用ボ−ル繰り出し機構部のボ−ル制御部における、ボ−ル繰り出し状態を示す断面図である。
【図６】同上ゴルフショット練習用ボ−ル繰り出し機構部の断面図である。
【図７】同上ゴルフショット練習用ボ−ル繰り出し機構操作レバ−部の断面図である。
【符号の説明】
１        傾斜溝
３        ボ−ル投入口
５        フランジ穴
７        軸及び繰り出しレバ−
９        ボ−ル出口
１１    取っ手
１３    流下路
１５    落下案内部
１７    弾性体
１９    ボ−ル制御部
２１    ボ−ル数調整部
２３    緩衝材
２５    溝及び流下路支持部
２７  出口流下路
２９  平ワッシャ
３１  割れピン
３３  軸及び繰り出しレバ−動作量制限部
３５    ボ−ル制御軸接続部
３７    ボ−ル制御部連結部
３９    繰り出し操作レバ−連結部
４１    繰り出し操作レバ−
【図１】
2004181126.tif 000003
【図２】
2004181126.tif 000004
【図３】
2004181126.tif 000005
【図４】
2004181126.tif 000006
【図５】
2004181126.tif 000007
【図６】
2004181126.tif 000008
【図７】
2004181126.tif 000009